(57)【特許請求の範囲】
【請求項１】
除電器本体（１）が、引き金（２）を引くと内蔵した弁（３）が開き、銃身部（５）中へ外部からエアーが送入されるガン形で、その銃身部（５）の先端には、互いの雌雄のねじを螺合させて延長筒（６）が着脱自在に接続され、この延長筒（６）上に、高電圧発生回路を内蔵した電源ボックス（７）が搭載されているとともに、延長筒（６）の先端には、互いの雌雄のねじを螺合させて金属製キャップ（８）が着脱自在に接続され、またこの延長筒（６）内の先端部分に設けられた隔壁（１０）の中央には、キャップ（８）に内包されてこれをアース電極とする放電針（１１）が保持されているとともに、該隔壁（１０）には、エアー通路となる複数の小孔（１２）が放電針（１１）の回りに貫通して設けられ、更にこのキャップ（８）の先端にスピンノズル（９）が着脱自在に接続され、該スピンノズル（９）は、前記キャップ（８）の先端に雄ねじ継手（１６）を螺合させて取り付ける軸受ブロック（１４）にツイストパイプ（１３）の基端部（１３ａ）を回転自在に軸受けしたもので、該ツイストパイプ（１３）の中間部（１３ｂ）が、軸線と直交するＸ方向へ緩やかに湾曲するとともに、先端部（１３ｃ）が、中間部（１３ｂ）に対してＸ方向と直交するＹ方向へ緩やかに湾曲し、先端の噴射口（１５）が斜めに指向していて、エアー噴射に伴いツイストパイプ（１３）が自動的に旋回するようになっていることを特徴とするエアー噴射型除電器。
【請求項２】
除電器本体（２１）が、高電圧発生回路を内蔵した箱形で、その後壁には、外部からエアー送入するための接続口（２２）が設けられているとともに、前壁には雄ねじ継手（２３）が突設され、また除電器本体（２１）内には、接続口（２２）と通ずるパイプ（２４）が貫設され、このパイプ（２４）の先端に針ホルダ（２５）により放電針（１１）を保持され、前記雄ねじ継手（２３）に金属製キャップ（８）を螺合させることにより、前記放電針（１１）が該キャップ（８）をアース電極としてこれに内包され、前記針ホルダ（２５）には、パイプ（２４）と通じるエアー通路となる複数の小孔（２６）が放射状に設けられ、また前記キャップ（８）の先端にスピンノズル（９）が着脱自在に接続され、該スピンノズル（９）は、前記キャップ（８）の先端に雄ねじ継手（１６）を螺合させて取り付ける軸受ブロック（１４）にツイストパイプ（１３）の基端部（１３ａ）を回転自在に軸受けしたもので、該ツイストパイプ（１３）の中間部（１３ｂ）が、軸線と直交するＸ方向へ緩やかに湾曲するとともに、先端部（１３ｃ）が、中間部（１３ｂ）に対してＸ方向と直交するＹ方向へ緩やかに湾曲し、先端の噴射口（１５）が斜めに指向していて、エアー噴射に伴いツイストパイプ（１３）が自動的に旋回するようになっていることを特徴とするエアー噴射型除電器。
【発明の詳細な説明】
【０００１】
【発明の属する技術分野】
本発明は、放電針の放電により生じたイオンをノズルからエアーと共に噴射するエアー噴射型除電器に関する。
【０００２】
【従来の技術】
従来のエアー噴射型除電器として、除電器本体を片手で持って操作できるようにガン形（ピストル形）としたものがあるが、そのノズルは噴射孔が１個で、エアー及びイオンを線状に噴射するものであった。
【０００３】
【発明が解決しようとする課題】
そのため、エアー及びイオンの噴射範囲が狭く、広い範囲を除電する場合には除電器本体を手で振り動かす回数が非常に多くなり、手が疲労するとか、除電ムラが多くなる等の問題があった。
【０００４】
そこで、本発明の目的は、エアー及びイオンの噴射範囲を従来よりも格段に大きくできるエアー噴射型除電器を提供することにある。
【０００５】
【課題を解決するための手段】
本発明の第１の形態は、除電器本体１が、引き金２を引くと内蔵した弁３が開き、銃身部５中へ外部からエアーが送入されるガン形で、その銃身部５の先端には、互いの雌雄のねじを螺合させて延長筒６が着脱自在に接続され、この延長筒６上に、高電圧発生回路を内蔵した電源ボックス７が搭載されているとともに、延長筒６の先端には、互いの雌雄のねじを螺合させて金属製キャップ８が着脱自在に接続され、またこの延長筒６内の先端部分に設けられた隔壁１０の中央には、キャップ８に内包されてこれをアース電極とする放電針１１が保持されているとともに、該隔壁１０には、エアー通路となる複数の小孔１２が放電針１１の回りに貫通して設けられ、更にこのキャップ８の先端にスピンノズル９が着脱自在に接続されている。
【０００６】
本発明の第２の形態は、除電器本体２１が、高電圧発生回路を内蔵した箱形で、その後壁には、外部からエアー送入するための接続口２２が設けられているとともに、前壁には雄ねじ継手２３が突設され、また除電器本体２１内には、接続口２２と通ずるパイプ２４が貫設され、このパイプ２４の先端に針ホルダ２５により放電針１１を保持され、雄ねじ継手２３に金属製キャップ８を螺合させることにより、放電針１１が該キャップ８をアース電極としてこれに内包され、針ホルダ２５には、パイプ２４と通じるエアー通路となる複数の小孔２６が放射状に設けられ、また前記キャップ８の先端にスピンノズル９が着脱自在に接続されている。
【０００７】
そして、第１の形態及び第２の形態のいずれの場合も、スピンノズル９は、キャップ８の先端に雄ねじ継手１６を螺合させて取り付ける軸受ブロック１４にツイストパイプ１３の基端部１３ａを回転自在に軸受けしたもので、該ツイストパイプ１３の中間部１３ｂが、軸線と直交するＸ方向へ緩やかに湾曲するとともに、先端部１３ｃが、中間部１３ｂに対してＸ方向と直交するＹ方向へ緩やかに湾曲し、先端の噴射口１５が斜めに指向していて、エアー噴射に伴いツイストパイプ１３が自動的に旋回するようになっている。
【０００８】
【発明の実施の形態】
次に、本発明の実施の形態を図面に基づいて詳細に説明する。
【０００９】
図１〜図５は、手で持って操作できるように除電器本体１をガン形（ピストル形）とした実施例である。除電器本体１は、図１に示すように、引き金２を引くと内蔵した弁３が開き、銃底部の接続口４に接続したホース（図示せず）を通じて銃身部５中へエアーが送入されるようになっている。銃身部５の先端には、互いの雌雄のねじを螺合させて延長筒６が着脱自在に接続され、この延長筒６上に、高電圧発生回路（図示省略）を内蔵した電源ボックス７が搭載されている。また、延長筒６の先端には、同じく互いの雌雄のねじを螺合させてキャップ８が着脱自在に接続され、更にこのキャップ７の先端に、同じく互いの雌雄のねじを螺合させてスピンノズル９が着脱自在に接続されている。
【００１０】
延長筒６内の先端部分に一体に設けられた隔壁１０の中央に、キャップ８で内包される放電針１１が保持されている。隔壁１０には、エアー通路となる複数の小孔１２が放電針１１の回りに貫通して設けられている。キャップ８は金属製で、放電針１１に対するアース電極となる。
【００１１】
スピンノズル９の構造について図１、図４及び図５を参照して説明する。スピンノズル９は、ツイストパイプ１３の基端部１３ａを軸受ブロック１４に回転自在に軸受けしている。このツイストパイプ１３の中間部１３ｂは、軸線と直交するＸ方向へ緩やかに湾曲しているが、先端部１３ｃは、中間部１３ｂに対してＸ方向と直交するＹ方向へ緩やかに湾曲して、先端の噴射口１５が斜めに指向しているため、噴射口１５からのエアーの噴射力によってツイストパイプ１３が自動的に旋回するようになっている。
【００１２】
そして、スピンノズル９は、軸受ブロック１４に一体に突設された雄ねじ継手１６をキャップ７の先端部の雌ねじに螺合させることにより、キャップ７の先端に着脱自在に接続されている。
【００１３】
ガン形の除電器はこのように構成されているので、引き金２を引いて弁３を開くことにより銃身部５中に入ったエアーは、放電針１１の回りの複数の小孔１２を通り抜けてキャップ８内に入り、ここで放電針１１の放電にて発生しているイオンを伴ってスピンノズル９のツイストパイプ１３から噴射されるが、そのイオンを伴ったエアーは、ツイストパイプ１３が自動的に旋回するので、螺旋状に拡散して噴射されることになる。
【００１４】
次に、図６〜図９は、設置して使用するように除電器本体２１を箱形とした実施例である。箱形の除電器本体２１には、図示省略した高電圧発生回路が内蔵されている。除電器本体２１の後壁には、ホース（図示せず）を接続する接続口２２が突設され、また除電器本体２１の前壁には、金属製キャップ８と螺合させる雄ねじ継手２３が突設されている。除電器本体２１内には、接続口２２と通ずるパイプ２４が貫設されている。放電針１１は、このパイプ２４の先端において針ホルダ２５により除電器本体２１の前壁に基端部を保持されている。針ホルダ２５には、パイプ２４と通じるエアー通路となる複数の小孔２６が放射状に設けられている。キャップ８は、放電針１１を内包してこれに対するアース電極となっている。キャップ８の先端には、前述したガン形の場合と同じスピンノズル９が雄ねじ継手１６により着脱自在に接続されている。
【００１５】
従って、パイプ２４及び小孔２６を通じてキャップ８内に入ったエアーは、ガン形の場合と同様に、放電針１１の放電にて発生しているイオンを伴ってスピンノズル９のツイストパイプ１３から噴射され、その際にツイストパイプ１３が自動的に旋回することにより、螺旋状に拡散して噴射される。
【００１６】
【発明の効果】
以上述べたように本発明によれば、イオンを伴ったエアーがスピンノズルのツイストパイプから噴射されると、該ツイストパイプが自動的に旋回するので、螺旋状に拡散させて噴射できるため、エアー及びイオンの噴射範囲を従来よりも格段に大きくできる。また、イオンを伴ったエアーが螺旋運動をしながら除電対象物に吹き付けられるので、除塵効果も高い。さらに、組立やメンテナンス性も良い。
【図面の簡単な説明】
【図１】除電器本体をガン形とした本発明の実施例の断面図である。
【図２】その外観の側面図である。
【図３】同じく正面図である。
【図４】それにおけるスピンノズルの斜視図である。
【図５】同じく断面図である。
【図６】除電器本体を箱形とした本発明の実施例の断面図である。
【図７】その外観の側面図である。
【図８】同じく平面図である。
【図９】同じく正面図である。
【符号の説明】
１      ガン形の除電器本体
２      引き金
３      弁
４      接続口
５      銃身部
６      延長筒
７      電源ボックス
８      キャップ
９      スピンノズル
１０    隔壁
１１    放電針
１２    小孔
１３    ツイストパイプ
１３ａ  基端部
１３ｂ  中間部
１３ｃ  先端部
１４    軸受ブロック
１５    噴射口
１６    雄ねじ継手
２１    除電器本体
２２    接続口
２３    雄ねじ継手
２４    パイプ
２５    針ホルダ
２６    小孔
【図１】
0003605757.tif 000002
【図２】
0003605757.tif 000003
【図３】
0003605757.tif 000004
【図４】
0003605757.tif 000005
【図５】
0003605757.tif 000006
【図６】
0003605757.tif 000007
【図７】
0003605757.tif 000008
【図８】
0003605757.tif 000009
【図９】
0003605757.tif 000010